【手続補正書】
【提出日】平成24年5月9日(2012.5.9)
【手続補正１】
【補正対象書類名】特許請求の範囲
【補正対象項目名】全文
【補正方法】変更
【補正の内容】
【特許請求の範囲】
【請求項１】
コンピューティングデバイス間で複数の情報形態に対話するためのコンピュータ読取可能記憶媒体であって、
ユーザと、前記ユーザに関連する第１プラットフォームとを認証する手順と；
安全ユーザ中心チャネルを経由しての第１コンピュータアプリケーションへのアクセスを提供するチャネルグリッドフレームワークを、前記第１プラットフォームのユーザのために確立する手順であって、前記チャネルグリッドフレームワークは前記第１プラットフォームの表示装置上に表示される、手順と；
ユーザが前記第１プラットフォームの前記チャネルグリッドフレームワークから前記安全ユーザ中心チャネルを選択することと、前記ユーザに関連する第２プラットフォームへの前記安全ユーザ中心チャネルのコピー動作を行うこととに応答して、前記第１プラットフォームの前記チャネルグリッドフレームワークから前記第２プラットフォームに前記安全ユーザ中心チャネルをデプロイする手順と
を、一または複数のコンピュータプロセッサに実行させるためのプログラムとしてのコンピュータ読取可能命令を記録した、コンピュータ読取可能記憶媒体であって、
前記安全ユーザ中心チャネルをデプロイする前記手順は、
Ａ）前記安全ユーザ中心チャネルがデプロイされる前記第２プラットフォームを識別することと；
Ｂ）前記第２プラットフォームのための第２プラットフォームアイデンティティに少なくとも基づき前記安全ユーザ中心チャネルを受信するように、前記第２プラットフォームを認証することと；
Ｃ）仮に前記ユーザと前記第１プラットフォームと前記第２プラットフォームとが認証されたときに、前記第２プラットフォームにデータを送信することと
を含み、
送信される前記データは、前記安全ユーザ中心チャネルと前記ユーザと前記第２プラットフォームとのそれぞれに関連する情報アクセス権と安全プロトコルとの少なくとも一方に少なくとも基づき、前記安全ユーザ中心チャネルをデプロイするために用いられ、
送信される前記データは、前記第２プラットフォーム上の前記第１コンピュータアプリケーションへのアクセスを提供するように構成されている、
コンピュータ読取可能記憶媒体。
【請求項２】
前記ユーザが前記第１プラットフォーム上の前記チャネルグリッドフレームワークから前記安全ユーザ中心チャネルを選択することによって、前記第２プラットフォームへの前記安全ユーザ中心チャネルの前記コピー動作を行うことは、
ドラッグアンドドロップ動作を行うことを含む、
請求項１記載のコンピュータ読取可能記憶媒体。
【請求項３】
前記安全ユーザ中心チャネルは、
他のコンピュータアプリケーションを起動することと；
他のコンピュータアプリケーションに関するデータを受信することと；
ストリーミングデータを表示することと；または
外部コンピュータアプリケーションをポーリングすることと
のうち少なくとも１つができるコンピュータアプリケーションである、
請求項１記載のコンピュータ読取可能記憶媒体。
【請求項４】
前記チャネルグリッドフレームワークは、情報を伝達する１２チャネルへのアクセスを提供する、
請求項１記載のコンピュータ読取可能記憶媒体。
【請求項５】
前記第１および第２のプラットフォームは、
サーバ、サーバのネットワーク、デスクトップコンピュータ、ラップトップコンピュータ、タブレット型コンピュータ、ネットブックコンピューティングデバイス、個人情報端末（ＰＤＡ）、電話、携帯電話機、ハンドヘルドデバイス、スマートフォン、対話型ディスプレイ、携帯情報端末（ＰＤＡ）、企業向け情報端末、パーソナルナビゲーションデバイス、ネットワーク接続デバイス、光ディスクプレーヤー、車載機器、セットトップテレビボックス、仮想マシン、およびゲーム機からなる群からの互いに異なるものを含む、
請求項１記載のコンピュータ読取可能記憶媒体。
【請求項６】
前記チャネルグリッドフレームワークから前記安全ユーザ中心チャネルをデプロイすることは、
前記第１プラットフォームに、前記第２プラットフォームの表現をインスタンス化するアイコンを表示することと；
前記第１プラットフォーム上の前記チャネルグリッドフレームワークから前記選択されたチャネルを識別することによって、前記選択されたチャネルの表現を表示することと；
前記第１プラットフォーム上の前記チャネルグリッドフレームワークから前記選択されたチャネルの表現を、前記第２プラットフォームを示す前記アイコンに前記ユーザがドラッグすることを示すデータを受信することと
を含む、
請求項１記載のコンピュータ読取可能記憶媒体。
【請求項７】
チャネルとして前記表示装置上に表示される前記第１コンピュータアプリケーションは、ストリーミングビデオアプリケーション、オーディオアプリケーション、ボイスオーバーＩＰアプリケーション、環境モニタリングアプリケーション、金融サービスアプリケーション、企業資源計画アプリケーション、建物情報モデリングアプリケーション、製品ライフサイクル管理アプリケーション、プロジェクト管理アプリケーション、没入型三次元環境アプリケーション、テレビ会議アプリケーション、ＲＳＳリーダーアプリケーション、チャネルアプリケーションリポジトリアプリケーション、エンドユーザ嗜好ローカライゼーションアプリケーション、ワープロアプリケーション、スプレッドシートアプリケーション、プレゼンテーションスライドショーアプリケーション、電子メールアプリケーション、アドレス帳アプリケーション、インスタントメッセージングアプリケーション、エンタープライズコンテンツ管理アプリケーション、テキストアプリケーション、グラフィ
ックアプリケーション、ピクチャアプリケーション、ビデオアプリケーション、遠隔操作インタラクションアプリケーション、およびオブジェクトの三次元グラフィック可視化アプリケーションのうち少なくとも１つを含む、
請求項１記載のコンピュータ読取可能記憶媒体。
【請求項８】
一または複数のコンピュータプロセッサに、
前記表示装置の前記チャネルグリッドフレームワークの前記安全ユーザ中心チャネルに問合わせて、前記第１コンピュータアプリケーションが提供するコンテンツを評価する手順
を実行させるためのプログラムを更に記録した、
請求項１記載のコンピュータ読取可能記憶媒体。
【請求項９】
一または複数のコンピュータプロセッサに、
前記チャネルグリッドフレームワークがインテリジェントアラートオブジェクトを提供するように構成する手順と；
前記第１コンピュータアプリケーションが提供して前記評価されたコンテンツを、インテリジェントアラート閾値条件に比較する手順と；
前記評価されたコンテンツが前記インテリジェントアラート閾値条件を満たす場合に、前記第１および第２のプラットフォームにアラート状態を表示する手順と
を実行させるためのプログラムを更に記録した、
請求項８記載のコンピュータ読取可能記憶媒体。
【請求項１０】
一または複数のコンピュータプロセッサに、
三次元ワークスペースとして前記表示装置上に表示される前記第１コンピュータアプリケーションから或るオブジェクトを選択する手順と；
前記三次元ワークスペースで前記選択されたオブジェクトのデジタルインスタンスに空間的に対話することによって、前記三次元ワークスペースに表示される前記選択されたオブジェクトに関係する追加コンテンツを提供する第２コンピュータアプリケーションにアクセスする手順と
を実行させるためのプログラムを更に記録した、
請求項８記載のコンピュータ読取可能記憶媒体。
【請求項１１】
一または複数のコンピュータプロセッサに、
物理的な空間の物理的なデバイスに対応する、三次元ワークスペースに前記第１コンピュータアプリケーションによって表示される或るオブジェクトを選択する手順と；
前記三次元ワークスペースで前記選択されたオブジェクトのデジタルインスタンスに空間的に対話することによって、前記三次元ワークスペースに表示される前記選択されたオブジェクトに関係する追加コンテンツを提供する第２コンピュータアプリケーションにアクセスする手順と；
前記第２コンピュータアプリケーションを使って前記選択されたオブジェクトの前記デジタルインスタンスの仮想的な変更を実施することによって、物理的デバイスの対応する物理的な変更を実施する手順と
を実行させるためのプログラムを更に記録した、
請求項８記載のコンピュータ読取可能記憶媒体。
【請求項１２】
前記三次元ワークスペースで前記選択されたオブジェクトのデジタルインスタンスに空間的に対話することによって、前記三次元ワークスペースに表示される前記選択されたオブジェクトに関係する追加コンテンツを提供する第２コンピュータアプリケーションにアクセスする手順は、
３Ｄワークスペースの第２ユーザの３Ｄアバターに対話することによって、前記ユーザ
のプラットフォームおよび前記第２ユーザのプラットフォームの双方で表示されるようにする手順を含む、
請求項１１記載のコンピュータ読取可能記憶媒体。
【請求項１３】
コンピューティングデバイス間で複数の情報形態に対話するコンピュータ実装方法であって、前記コンピュータ実装方法は、
ユーザと、前記ユーザに関連する第１コンピューティングデバイスプラットフォームとを認証するステップと；
前記第１コンピューティングデバイスプラットフォーム上のユーザのために、安全ユーザ中心チャネルを経由しての第１コンピュータアプリケーションへのアクセスを提供するチャネルグリッドフレームワークを確立するステップであって、前記第１コンピュータアプリケーションは前記第１コンピューティングデバイスプラットフォームの表示装置上に表示される、ステップと；
ユーザが前記第１コンピューティングデバイスプラットフォームの前記チャネルグリッドフレームワークから前記安全ユーザ中心チャネルを選択することと、前記ユーザに関連する第２コンピューティングデバイスプラットフォームへの前記安全ユーザ中心チャネルのコピー動作を行うこととに応答して、前記第１コンピューティングデバイスプラットフォーム上の前記チャネルグリッドフレームワークから前記第２コンピューティングデバイスプラットフォームに前記安全ユーザ中心チャネルをデプロイするステップと
を含み、
前記安全ユーザ中心チャネルをデプロイすることは、
Ａ）前記安全ユーザ中心チャネルがデプロイされる前記第２コンピューティングデバイスプラットフォームを識別することと；
Ｂ）前記第２コンピューティングデバイスプラットフォームのための第２コンピューティングデバイスプラットフォームアイデンティティに少なくとも基づき前記安全ユーザ中心チャネルを受信するように、前記第２コンピューティングデバイスプラットフォームを認証することと；
Ｃ）仮に前記ユーザと前記第１コンピューティングデバイスプラットフォームと前記第２コンピューティングデバイスプラットフォームとが認証されたときに、前記第２コンピューティングデバイスプラットフォームにデータを送信することと
を含み、
送信される前記データは、前記安全ユーザ中心チャネルと前記ユーザと前記第２コンピューティングデバイスプラットフォームとのそれぞれに関連する情報アクセス権と安全プロトコルとの少なくとも一方に少なくとも基づき、前記安全ユーザ中心チャネルをデプロイするために用いられ、
送信される前記データは、前記第２コンピューティングデバイスプラットフォーム上の前記第１コンピュータアプリケーションへのアクセスを提供するように構成されている、
コンピュータ実装方法。
【請求項１４】
前記ユーザが前記第１コンピューティングデバイスプラットフォームの前記チャネルグリッドフレームワークから前記安全ユーザ中心チャネルを選択することによって、前記第２コンピューティングデバイスプラットフォームへの前記安全ユーザ中心チャネルの前記コピー動作を行うステップは、
ドラッグアンドドロップ動作を行うステップを含む、
請求項１３記載のコンピュータ実装方法。
【請求項１５】
前記安全ユーザ中心チャネルは、
他のコンピュータアプリケーションを起動すること；
他のコンピュータアプリケーションに関するデータを受信すること；
ストリーミングデータを表示すること；または
外部コンピュータアプリケーションをポーリングすること
のうち少なくとも１つができるコンピュータアプリケーションである、
請求項１３記載のコンピュータ実装方法。
【請求項１６】
前記チャネルグリッドフレームワークは、情報を伝達する１２チャネルへのアクセスを提供する、
請求項１３記載のコンピュータ実装方法。
【請求項１７】
前記第１および第２のコンピューティングデバイスプラットフォームは、サーバ、サーバのネットワーク、デスクトップコンピュータ、ラップトップコンピュータ、タブレット型コンピュータ、ネットブックコンピューティングデバイス、個人情報端末（ＰＤＡ）、電話、携帯電話機、ハンドヘルドデバイス、スマートフォン、対話型ディスプレイ、携帯情報端末（ＰＤＡ）、企業向け情報端末、パーソナルナビゲーションデバイス、ネットワーク接続デバイス、光ディスクプレーヤー、車載機器、セットトップテレビボックス、仮想マシン、およびゲーム機からなる群からの互いに異なるものを含む、
請求項１３記載のコンピュータ実装方法。
【請求項１８】
前記チャネルグリッドフレームワークから前記安全ユーザ中心チャネルをデプロイするステップは、
前記第１コンピューティングデバイスプラットフォーム上に、前記第２コンピューティングデバイスプラットフォームの表現をインスタンス化するアイコンを表示するステップと；
前記第１コンピューティングデバイスプラットフォーム上の前記チャネルグリッドフレームワークから前記選択されたチャネルを識別することによって、前記選択されたチャネルの表現を表示するステップと；
前記第１コンピューティングデバイスプラットフォーム上の前記チャネルグリッドフレームワークから前記選択されたチャネルの前記表現を、前記第２コンピューティングデバイスプラットフォームを示す前記アイコンに前記ユーザがドラッグすることを示すデータを受信することと
を含む、
請求項１３記載のコンピュータ実装方法。
【請求項１９】
チャネルとして前記表示装置上に表示される前記第１コンピュータアプリケーションは、ストリーミングビデオアプリケーション、オーディオアプリケーション、ボイスオーバーＩＰアプリケーション、環境モニタリングアプリケーション、金融サービスアプリケーション、企業資源計画アプリケーション、建物情報モデリングアプリケーション、製品ライフサイクル管理アプリケーション、プロジェクト管理アプリケーション、没入型三次元環境アプリケーション、テレビ会議アプリケーション、ＲＳＳリーダーアプリケーション、チャネルアプリケーションリポジトリアプリケーション、エンドユーザ嗜好ローカライゼーションアプリケーション、ワープロアプリケーション、スプレッドシートアプリケーション、プレゼンテーションスライドショーアプリケーション、電子メールアプリケーション、アドレス帳アプリケーション、インスタントメッセージングアプリケーション、エンタープライズコンテンツ管理アプリケーション、テキストアプリケーション、グラフィックアプリケーション、ピクチャアプリケーション、ビデオアプリケーション、遠隔操作インタラクションアプリケーション、およびオブジェクトの三次元グラフィック可視化アプリケーションのうちの少なくとも１つを含む、
請求項１３記載のコンピュータ実装方法。
【請求項２０】
前記コンピュータ実装方法は更に、
前記表示装置上の前記チャネルグリッドフレームワーク内の前記安全ユーザ中心チャネ
ルに問合わせて、前記第１コンピュータアプリケーションが提供するコンテンツを評価するステップを含む、
請求項１３記載のコンピュータ実装方法。
【請求項２１】
前記コンピュータ実装方法は更に、
前記チャネルグリッドフレームワークがインテリジェントアラートオブジェクトを提供するように構成するステップと；
前記第１コンピュータアプリケーションが提供して前記評価されたコンテンツを、インテリジェントアラート閾値条件に比較するステップと；
前記評価されたコンテンツが前記インテリジェントアラート閾値条件を満たすとき、前記第１および第２のコンピューティングデバイスプラットフォームにアラート状態を表示するステップと
を含む、
請求項２０記載のコンピュータ実装方法。
【請求項２２】
前記コンピュータ実装方法は更に、
三次元ワークスペースとして前記表示装置上に表示される前記第１コンピュータアプリケーションから或るオブジェクトを選択するステップと；
前記三次元ワークスペースで前記選択されたオブジェクトのデジタルインスタンスに空間的に対話することによって、前記三次元ワークスペースに表示される前記選択されたオブジェクトに関係する追加コンテンツを提供する第２コンピュータアプリケーションにアクセスするステップと
を含む、
請求項２０記載のコンピュータ実装方法。
【請求項２３】
前記コンピュータ実装方法は更に、
物理的な空間の物理的デバイスに対応する、三次元ワークスペースに前記第１コンピュータアプリケーションによって表示される或るオブジェクトを選択するステップと；
前記三次元ワークスペースで前記選択されたオブジェクトのデジタルインスタンスに空間的に対話することによって、前記三次元ワークスペースに表示される前記選択されたオブジェクトに関係する追加コンテンツを提供する第２コンピュータアプリケーションにアクセスするステップと；
前記第２コンピュータアプリケーションを使って前記選択されたオブジェクトの前記デジタルインスタンスの仮想的な変更を実施することによって、物理的デバイスの対応する物理的な変更を実施するステップと
を含む、
請求項２０記載のコンピュータ実装方法。
【請求項２４】
前記三次元ワークスペースで前記選択されたオブジェクトのデジタルインスタンスに空間的に対話することによって、前記三次元ワークスペースに表示される前記選択されたオブジェクトに関係する追加コンテンツを提供する第２コンピュータアプリケーションにアクセスするステップは、
３Ｄワークスペースの第２ユーザの３Ｄアバターに対話することによって、前記ユーザのコンピューティングデバイスプラットフォームおよび前記第２ユーザのコンピューティングデバイスプラットフォームに表示させるステップを含む、
請求項２３記載のコンピュータ実装方法。
【請求項２５】
コンピューティングデバイス間で複数の情報形態に対話する対話システムであって、前記対話システムは、
ユーザを認証するように構成されているアイデンティティ管理サーバと；
前記ユーザに関連する第１コンピューティングデバイスプラットフォームのユーザのために確立されて、安全ユーザ中心チャネルを経由しての第１コンピュータアプリケーションへのアクセスを提供するチャネルグリッドフレームワークであって、前記第１コンピュータアプリケーションは前記第１コンピューティングデバイスプラットフォームの表示装置上に表示される、チャネルグリッドフレームワークと；
ユーザが前記第１コンピューティングデバイスプラットフォーム上の前記チャネルグリッドフレームワークから前記安全ユーザ中心チャネルを選択することと、前記ユーザに関連する第２コンピューティングデバイスプラットフォームへの前記安全ユーザ中心チャネルのコピー動作を行うこととに応答して、前記第１コンピューティングデバイスプラットフォームの前記チャネルグリッドフレームワークから前記第２コンピューティングデバイスプラットフォームに前記安全ユーザ中心チャネルをデプロイするように構成されているアプリケーションホスト転送ツールと
を含み、
前記アプリケーションホスト転送ツールは、前記安全ユーザ中心チャネルがデプロイされる前記第２コンピューティングデバイスプラットフォームを識別するように構成され、
前記アイデンティティ管理サーバは、前記第２コンピューティングデバイスプラットフォームのための第２コンピューティングデバイスプラットフォームアイデンティティに少なくとも基づき前記安全ユーザ中心チャネルを受信するように、前記第２コンピューティングデバイスプラットフォームを認証するように構成され、
仮に前記ユーザと前記第１コンピューティングデバイスプラットフォームと前記第２コンピューティングデバイスプラットフォームとが認証されたときに、前記アプリケーションホスト転送ツールは、前記第２コンピューティングデバイスプラットフォームにデータを送信するように構成され、
送信される前記データは、前記安全ユーザ中心チャネルと前記ユーザと前記第２コンピューティングデバイスプラットフォームとのそれぞれに関連する情報アクセス権と安全プロトコルとの少なくとも一方に少なくとも基づき、前記安全ユーザ中心チャネルをデプロイするために用いられ、
送信される前記データは、前記第２コンピューティングデバイスプラットフォーム上の前記第１コンピュータアプリケーションへのアクセスを提供するように構成されている、
対話システム。
【請求項２６】
前記アプリケーションホスト転送ツールは、
前記ユーザが前記第１コンピューティングデバイスプラットフォーム上の前記チャネルグリッドフレームワークから前記安全ユーザ中心チャネルを選択することによって、前記第２コンピューティングデバイスへの前記安全ユーザ中心チャネルのドラッグアンドドロップコピー動作を行うことを含み、
前記コピー動作に応答することによって、前記安全ユーザ中心チャネルのコピーを受信するように更に構成されている、
請求項２５記載の対話システム。
【請求項２７】
前記対話システムは更に、
他のコンピュータアプリケーションを起動する機能；
他のコンピュータアプリケーションに関するデータを受信する機能；
ストリーミングデータを表示する機能；または
外部コンピュータアプリケーションをポーリングする機能のうち少なくとも１つを含む下位アプリケーション機能
を、前記安全ユーザ中心チャネルに統合するように構成されているウェブサービスゲートウェイを含む、
請求項２５記載の対話システム。
【請求項２８】
前記チャネルグリッドフレームワークは、情報を伝達する１２チャネルへのアクセスを提供する、
請求項２５記載の対話システム。
【請求項２９】
前記第１および第２のコンピューティングデバイスプラットフォームは、
サーバ、サーバのネットワーク、デスクトップコンピュータ、ラップトップコンピュータ、タブレット型コンピュータ、ネットブックコンピューティングデバイス、個人情報端末（ＰＤＡ）、電話、携帯電話機、ハンドヘルドデバイス、スマートフォン、対話型ディスプレイ、携帯情報端末（ＰＤＡ）、企業向け情報端末、パーソナルナビゲーションデバイス、ネットワーク接続デバイス、光ディスクプレーヤー、車載機器、セットトップテレビボックス、仮想マシン、およびゲーム機からなる群からの互いに異なるものを含む、
請求項２５記載の対話システム。
【請求項３０】
前記アプリケーションホスト転送ツールは、
前記第１コンピューティングデバイスプラットフォームに、前記第２コンピューティングデバイスプラットフォームの表現をインスタンス化するアイコンを表示し；
前記第１コンピューティングデバイスプラットフォーム上の前記チャネルグリッドフレームワークから前記選択されたチャネルを識別することによって、前記選択されたチャネルの表現を表示し；
ユーザが前記第１コンピューティングデバイスプラットフォーム上の前記チャネルグリッドフレームワークから前記選択されたチャネルの表現を、前記第２コンピューティングデバイスプラットフォームを示す前記アイコンに前記ユーザがドラッグすることを示すデータを受信する
ように構成されている、
請求項２５記載の対話システム。
【請求項３１】
チャネルとして前記表示装置上に表示される前記第１コンピュータアプリケーションは、
ストリーミングビデオアプリケーション、オーディオアプリケーション、ボイスオーバーＩＰアプリケーション、環境モニタリングアプリケーション、金融サービスアプリケーション、企業資源計画アプリケーション、建物情報モデリングアプリケーション、製品ライフサイクル管理アプリケーション、プロジェクト管理アプリケーション、没入型三次元環境アプリケーション、テレビ会議アプリケーション、ＲＳＳリーダーアプリケーション、チャネルアプリケーションリポジトリアプリケーション、エンドユーザ嗜好ローカライゼーションアプリケーション、ワープロアプリケーション、スプレッドシートアプリケーション、プレゼンテーションスライドショーアプリケーション、電子メールアプリケーション、アドレス帳アプリケーション、インスタントメッセージングアプリケーション、エンタープライズコンテンツ管理アプリケーション、テキストアプリケーション、グラフィックアプリケーション、ピクチャアプリケーション、ビデオアプリケーション、遠隔操作インタラクションアプリケーション、およびオブジェクトの三次元グラフィック可視化アプリケーションのうち少なくとも１つを含む、
請求項２５記載の対話システム。
【請求項３２】
前記アイデンティティ管理サーバと前記ウェブサービスゲートウェイは、
前記表示装置の前記チャネルグリッドフレームワークの前記安全ユーザ中心チャネルに問合わせて、前記第１コンピュータアプリケーションが提供するコンテンツを評価するように構成されている、
請求項２７記載の対話システム。
【請求項３３】
前記対話システムは更に、
前記安全ユーザ中心チャネルとして前記表示装置上に表示される前記第１コンピュータアプリケーションを提供するように構成されているチャネルサーバと；
前記チャネルグリッドフレームワークにインテリジェントアラートオブジェクトを提供するように構成されており、前記第１コンピュータアプリケーションが提供することによって前記評価されたコンテンツをインテリジェントアラート閾値条件に比較することによって、前記評価されたコンテンツが前記インテリジェントアラート閾値条件を満たすときに、前記第１および第２のコンピューティングデバイスプラットフォームにアラート状態を表示するように更に構成されているチャネルアラートサーバと
を有する、
請求項３２記載の対話システム。
【請求項３４】
前記対話システムは更に、
三次元ワークスペースとして前記表示装置上に表示される前記第１コンピュータアプリケーションから或るオブジェクトを選択し、前記三次元ワークスペースで前記選択されたオブジェクトのデジタルインスタンスに空間的に対話することによって、前記三次元ワークスペースに表示される前記選択されたオブジェクトに関係する追加コンテンツを提供する第２コンピュータアプリケーションにアクセスするように構成されている仮想世界サーバを含む、
請求項３２記載の対話システム。
【請求項３５】
前記仮想世界サーバは、
物理的な空間の物理的デバイスに対応する、前記三次元ワークスペースに前記第１コンピュータアプリケーションによって表示される或るオブジェクトを選択し、
前記三次元ワークスペースで前記選択されたオブジェクトのデジタルインスタンスに空間的に対話することによって、前記三次元ワークスペースに表示される前記選択されたオブジェクトに関係する追加コンテンツを提供する第２コンピュータアプリケーションにアクセスし、
前記第２コンピュータアプリケーションを使って前記選択されたオブジェクトの前記デジタルインスタンスの仮想的な変更を実施することによって、物理的デバイスの対応する物理的な変更を実施する、
ように更に構成されている、
請求項３４記載の対話システム。
【請求項３６】
前記三次元ワークスペースで前記選択されたオブジェクトのデジタルインスタンスに空間的に対話することによって、前記三次元ワークスペースで表示される前記選択されたオブジェクトに関係する追加コンテンツを提供する第２コンピュータアプリケーションにアクセスする機能は、
前記ユーザのコンピューティングデバイスプラットフォームおよび第２ユーザのコンピューティングデバイスプラットフォームに表示される３Ｄワークスペースで前記第２ユーザの３Ｄアバターに対話する機能を含む、
請求項３５記載の対話システム。